(57)【要約】【課題】プラズマディスプレイ装置を構成するパネルを駆動するための駆動パルスを生成する制御基板の構造と組立て工数を削減単純化すると共に、制御基板を固定した後でも、コネクター部品とフレキシブル配線基板の接続状態を確認することを可能にする。【解決手段】プラズマディスプレイパネル１００の放電電極を駆動するパルスを生成する制御基板４１２と、制御基板４１２が生成するパルスをプラズマディスプレイパネル１００の放電電極に送るためのフレキシブル配線基板４１８と、制御基板４１２上に配置されかつ制御基板４１２とフレキシブル配線基板４１８上の配線パターンとを接続するコネクター４１６を有し、コネクター４１６の接続端子部５４３は、フレキシブル配線基板４１８の配線パターンをコネクター４１６に接続した状態でフレキシブル配線基板４１８の制御基板４１２と反対側の面上の配線パターンと接触するように配置する。【選択図】図４
2007218967.tif 000002
【特許請求の範囲】
【請求項１】
プラズマディスプレイパネルの放電電極を駆動するパルスを生成する制御基板と、
前記制御基板が生成するパルスを前記プラズマディスプレイパネルの放電電極に送るためのフレキシブル配線基板と、
前記制御基板上に配置されかつ前記制御基板と前記フレキシブル配線基板上の配線パターンとを接続するコネクターとを有し、
前記コネクターの接続端子は、前記フレキシブル配線基板の配線パターンを前記コネクターに接続した状態で前記フレキシブル配線基板の前記制御基板と反対側の面上の配線パターンと接触するように配置した
プラズマディスプレイ装置。
【請求項２】
プラズマディスプレイパネルの放電電極を駆動するパルスを生成する制御基板と、
前記制御基板が生成するパルスを前記プラズマディスプレイパネルの放電電極に送るためのフレキシブル配線基板と、
前記制御基板上に配置されかつ前記制御基板と前記フレキシブル配線基板上の配線パターンとを接続するコネクターとを有し、
前記コネクターは、前記制御基板の前記プラズマディスプレイパネルとは反対側の面上に配置した
プラズマディスプレイ装置。
【請求項３】
プラズマディスプレイパネルの放電電極を駆動するパルスを生成する制御基板と、
前記制御基板が生成するパルスを前記プラズマディスプレイパネルの放電電極に送るためのフレキシブル配線基板と、
前記制御基板上に配置されかつ前記制御基板と前記フレキシブル配線基板上の配線パターンとを接続するコネクターとを有し、
前記コネクターは、前記制御基板上の駆動部品と同じ側の面上に配置した
プラズマディスプレイ装置。
【請求項４】
前記フレキシブル配線基板はその片面に配線パターンを有し、
前記コネクターは前記フレキシブル配線基板の片面の配線パターンと接触するピンを有する
請求項１から請求項３のいずれか１項に記載のプラズマディスプレイ装置。
【発明の詳細な説明】
【技術分野】
【０００１】
本発明は、プラズマディスプレイパネルを用いた画像表示装置であるプラズマディスプレイ装置に関するものである。
【背景技術】
【０００２】
プラズマディスプレイパネル（以下、「パネル」と略記する）は、大画面、薄型、軽量であることを特徴とする視認性に優れた表示デバイスである。このパネルを用いたプラズマディスプレイ装置が多く提案されている。
【０００３】
このような従来のプラズマディスプレイ装置に使われるパネルは、前面ガラス基板と背面ガラス基板とを並行に配置し、その間に放電ガスを封入した放電空間を有し、前面ガラス基板と背面ガラス基板とには、放電を起こすための走査電極、維持電極、データ電極がそれぞれ配置されている。
【０００４】
これらの電極を駆動するための駆動信号は、パネルと並行に配置された制御基板において生成される。この制御基板とパネルを接続するために、より具体的には、制御基板で生成された上記駆動信号を含む制御基板上のプリント配線パターンの信号線と、上記パネル上の各電極とを接続するために、自由に屈曲できるフレキシブル配線基板が使われる。
【０００５】
フレキシブル配線基板とは、ポリエステル等、絶縁性フィルムの片面に（両面のこともあるが、本明細書では簡単化のために片面として説明をする）銅等、導体の微細配線パターンを形成した、いわゆるフレキシブル、即ち、折り曲げやねじり等が可能な配線基板をいう。上記のとおり、互いに並行に配置されている基板同士を接続するのに自由に屈曲できることが便利であることと、狭い面積に多くの信号を接続するための配線パターンを配置できることと、コネクターと異方性導電シートを使って、容易に接続することができるためである。
【０００６】
このように、フレキシブル配線基板を使って、制御基板とパネルとを接続する例が、下記特許文献１に記載されている。
【０００７】
図６に、このような従来のプラズマディスプレイ装置における、パネルと制御基板との概略構造を示す。図６は、従来のプラズマディスプレイ装置におけるパネル６００と制御基板６１２とを、プラズマディスプレイ装置が設置されている状態において上方から下方に向かって見た状態を示している。このプラズマディスプレイ装置を観賞する人は、図６において、下方から上方に向かって観賞する。
【０００８】
上記のとおり、従来のプラズマディスプレイ装置におけるパネル６００は、前面ガラス基板６２１と背面ガラス基板６３１とを並行に配置し、その間に放電ガスを封入した放電空間６０１を有している。放電ガスを封入するため、前面ガラス基板６２１と背面ガラス基板６３１との間は密閉されているが、却って煩雑になるのを避けるためと、本発明の本質とは直接関連しないので図示と説明は省略する。
【０００９】
前面ガラス基板６２１には、放電を起こすための走査電極６２２と維持電極６２３とが、互いに並行かつ交互に配置されている。この走査電極６２２と維持電極６２３とは、プラズマディスプレイ装置を観賞する方向に設置した状態で、それぞれ水平方向に並行に配線され、上下方向に交互に配置されるので、図６の状態では走査電極６２２と維持電極６２３とが重なって１本しか示すことができない。
【００１０】
背面ガラス基板６３１には、データ電極６３２が複数並行に配置されている。このデータ電極６３２は、プラズマディスプレイ装置を観賞する方向に設置した状態で、それぞれ垂直方向に並行に配線されるので、図６の状態ではデータ電極６３２の断面しか示すことができない。
【００１１】
また、これらの電極の上には、誘電体層や保護層、隔壁、蛍光体層等が配設されているが、却って煩雑になるのを避けるためと、本発明の本質とは直接関連しないので図示と説明は省略する。
【００１２】
上記のとおり、これらの電極を駆動してパネル６００を放電させるための駆動信号は、パネル６００と並行に配置された制御基板６１２で生成される。制御基板６１２には、この駆動信号を生成するための駆動部品６１４やその他の部品が多く搭載されている。図６では、駆動部品として模式的に四角形で３つだけを示すが、実際にはより多くの種々の部品が搭載されている。これらについても、却って煩雑になるのを避けるためと、本発明の本質とは直接関連しないので図示と説明は省略する。
【００１３】
この駆動部品６１４は、保守や組立ての容易性、パネル６００から出る熱を避けるため、その他の理由によって、制御基板６１２のパネル６００が存在する側と反対側の面に搭載されている。
【００１４】
上記のとおり、パネル６００と制御基板６１２とは、制御基板６１２で生成した駆動信号をパネル６００の各電極に送るためにフレキシブル配線基板６１８で接続されている。図６では、簡略化のため、走査電極６２２と制御基板６１２とを接続するフレキシブル配線基板６１８を１つだけを模式的に示しているが、実際にはより多くのフレキシブル配線基板６１８が、走査電極６２２と制御基板６１２とを接続するために使用される。
【００１５】
また、維持電極６２３やデータ電極６３３に駆動パルスを送るためのフレキシブル配線基板も配設されるが、これらに関しても同様であることと、却って煩雑になるのを避けるために、図示と説明は省略する。
【００１６】
フレキシブル配線基板６１８は、異方性導電シート６０５を介して前面ガラス基板６２１上の走査電極６２２と圧接される。異方性導電シート６０５は圧接された圧力方向に電流を流すが、それと直角方向には電流を流さない性質を有するが、本発明の本質とは直接関連しないので詳細な説明は省略する。
【００１７】
また、このフレキシブル配線基板６１８は、制御基板６１２上のコネクター６１６を介して、制御基板６１２上のプリント配線と接続され、このプリント配線を経由して制御基板６１２上の駆動部品６１４と接続される。
【００１８】
図７に、このフレキシブル配線基板６１８が、制御基板６１２上のコネクター６１６を介して、制御基板６１２上のプリント配線７４４と接続される状態を拡大して示す。
【００１９】
上記のとおり、フレキシブル配線基板６１８の片面には、銅等の導体で微細な配線パターン６１９が形成されている。この配線パターン６１９は、制御基板６１２上に配設されたコネクター６１６のコネクターピン７４１と、接続端子部７４３において接触し、このコネクターピン７４１を介して、制御基板６１２上のプリント配線７４４と接続される。
【００２０】
制御基板６１２上のプリント配線７４４は、スルーホール７４５を経由して同じ制御基板６１２の反対側の面に通じ、制御基板６１２上のこの面に配設された駆動部品６１４と接続される。
【００２１】
このような構造にすることによって、コネクター６１６の構造やコネクターピン７４１の配置は簡単化することができる。
【特許文献１】特開２００４−２５８４７３号公報
【発明の開示】
【発明が解決しようとする課題】
【００２２】
しかしながら、上記のような従来のプラズマディスプレイ装置では、制御基板６１２の一方の面には駆動部品６１４が搭載され、他方の面にはコネクター６１６が搭載され、いわゆる両面実装となるため、組立て工数が増え、組立てが困難になるという課題があった。
【００２３】
また、制御基板６１２には、プリント配線７４４をコネクター６１６側の面から駆動部品６１４側の面へ導くためのスルーホールが必要になるという課題もあった。
【００２４】
さらに、コネクター６１６とフレキシブル配線基板６１８との接続は、組立て側の面、即ち図７では上側、とは逆の面で行われるため、コネクター６１６とフレキシブル配線基板６１８との接続は制御基板６１２を固定する前に行う必要があるばかりでなく、制御基板６１２を固定した後は、コネクター６１６とフレキシブル配線基板６１８との接続状態を確認することが極めて困難であった。
【００２５】
また、上記のとおり、このフレキシブル配線基板６１８の反対側の端は前面ガラス基板６２１の走査電極６２２と異方性導電シート６０５を介して圧接されているが、この圧接部とコネクター６１６との距離が近くなるため、フレキシブル配線基板６１８の屈曲半径が小さくならざるをえないという課題も有していた。
【課題を解決するための手段】
【００２６】
本発明は、上記のような課題を解決するために行われたもので、そのために以下のような構成を採用する。
【００２７】
請求項１に記載の発明は、プラズマディスプレイパネルの放電電極を駆動するパルスを生成する制御基板と、制御基板が生成するパルスをプラズマディスプレイパネルの放電電極に送るためのフレキシブル配線基板と、制御基板上に配置されかつ制御基板とフレキシブル配線基板上の配線パターンとを接続するコネクターとを有し、コネクターの接続端子は、フレキシブル配線基板の配線パターンをコネクターに接続した状態でフレキシブル配線基板の制御基板と反対側の面上の配線パターンと接触するように配置した、プラズマディスプレイ装置である。
【００２８】
このような構成を採ることによって、放電電極を駆動するパルスを生成するパネルと並行に配置された制御基板の、パネルと反対側の面に、起動パルスを生成するための駆動部品と、この駆動部品をパネルに送るためのコネクター部品とを集めることができ、制御基板の構造と製造組立て工数を削減単純化することが可能になる。
【００２９】
請求項２に記載の発明は、プラズマディスプレイパネルの放電電極を駆動するパルスを生成する制御基板と、制御基板が生成するパルスをプラズマディスプレイパネルの放電電極に送るためのフレキシブル配線基板と、制御基板上に配置されかつ制御基板とフレキシブル配線基板上の配線パターンとを接続するコネクターとを有し、コネクターは、制御基板のプラズマディスプレイパネルとは反対側の面上に配置した、プラズマディスプレイ装置である。
【００３０】
このような構成を採ることによって、放電電極を駆動するパルスを生成するパネルと並行に配置された制御基板の、パネルと反対側の面に、起動パルスを生成するための駆動部品と、この駆動部品をパネルに送るためのコネクター部品とを集めることができると共に、制御基板のパネル側の面には部品が搭載されないので、制御基板とパネルとの間隔を狭くすることができ、プラズマディスプレイ装置全体の薄型化小型化を実現することができる。さらに、パネルと制御基板とを接続するフレキシブル配線基板の曲率半径を大きくできるので、フレキシブル配線基板にかかる応力が小さくなり、部品の信頼性安定性を向上させることが可能になる。
【００３１】
請求項３に記載の発明は、プラズマディスプレイパネルの放電電極を駆動するパルスを生成する制御基板と、制御基板が生成するパルスをプラズマディスプレイパネルの放電電極に送るためのフレキシブル配線基板と、制御基板上に配置されかつ制御基板とフレキシブル配線基板上の配線パターンとを接続するコネクターとを有し、コネクターは、制御基板上の駆動部品と同じ側の面上に配置した、プラズマディスプレイ装置である。
【００３２】
このような構成を採ることによって、放電電極を駆動するパルスを生成するパネルと並行に配置された制御基板の、パネルと反対側の面に、起動パルスを生成するための駆動部品と、この駆動部品をパネルに送るためのコネクター部品とを集めることができ、制御基板の構造と製造組立て工数を削減単純化すると共に、コネクター部品とフレキシブル配線基板との接続を組立て側の面で行うことができるため、コネクター部品とフレキシブル配線基板との接続は制御基板を固定した後に行うことができるばかりでなく、制御基板を固定した後でも、コネクター部品とフレキシブル配線基板の接続状態を極めて簡単に確認することが可能になる。
【００３３】
請求項４に記載の発明は、フレキシブル配線基板はその片面に配線パターンを有し、コネクターはフレキシブル配線基板の片面の配線パターンと接触するピンを有する、請求項１から請求項３のいずれか１項に記載のプラズマディスプレイ装置である。
【００３４】
このような構成を採ることによって、単純な構成でコストも低いフレキシブル配線基板を使用できると共に、コネクター自身の構造も単純なものとすることができる。
【発明の効果】
【００３５】
本発明によれば、放電電極を駆動するパルスを生成するパネルと並行に配置された制御基板の、パネルと反対側の面に必要な部品を集めることができ、制御基板の構造と製造組立て工数を削減単純化することができる。また、コネクター部品とフレキシブル配線基板との接続を組立て側の面で行うことができるため、コネクター部品とフレキシブル配線基板との接続は制御基板を固定した後に行うことができるばかりでなく、制御基板を固定した後でも、コネクター部品とフレキシブル配線基板の接続状態を極めて簡単に確認することが可能になる。
【００３６】
さらに、制御基板のパネル側の面には部品が搭載されないので、制御基板とパネルとの間隔を狭くすることができ、プラズマディスプレイ装置全体の薄型化小型化を実現することができる。さらにまた、パネルと制御基板とを接続するフレキシブル配線基板の曲率半径を大きくできるので、フレキシブル配線基板にかかる応力が小さくなり、部品の信頼性安定性を向上させること可能になる。
【発明を実施するための最良の形態】
【００３７】
以下、本発明の実施の形態におけるプラズマディスプレイ装置について、図面を用いて説明をする。
【００３８】
（実施の形態）
図１は、本発明の実施の形態におけるプラズマディスプレイ装置に用いるパネルの構造を示す分解斜視図である。パネル１００は、ガラス製の前面ガラス基板１２１と背面ガラス基板１３１とを対向配置して、その間に多数の放電セル１３６（図２参照）を形成するように構成されている。
【００３９】
前面基板１２１には、表示電極対を構成する走査電極１２２と維持電極１２３とが互いに平行に対をなして、複数形成されている。走査電極１２２と維持電極１２３とを覆うように誘電体層１２４が形成され、誘電体層１２４上には保護層１２５が形成されている。
【００４０】
背面基板１３１には、絶縁体層１３３で覆われた複数のデータ電極１３２が設けられ、絶縁体層１３３上に井桁状の隔壁１３４が設けられている。絶縁体層１３３の表面と隔壁１３４の側面には、赤青緑に発光する蛍光体が交互に塗布された蛍光体層１３５が設けられている。
【００４１】
走査電極１２２および維持電極１２３とデータ電極３２とが交差するように、前面基板２１と背面基板３１とが対向配置されており、電極の交差するそれぞれの位置に放電セル１３６が形成される。放電セルには放電ガスとして、例えばネオンとキセノンの混合ガスが封入されている。
【００４２】
なお、パネル１００の構造は必ずしも上述したものに限られるわけではなく、例えば井桁状の隔壁１３４のかわりにストライプ状の隔壁を備えていても構わない。
【００４３】
図２は、本発明の実施の形態に用いるパネル１００の電極配列図である。行方向にｎ本の走査電極１２２（ＳＣＮ１〜ＳＣＮｎ）およびｎ本の維持電極１２３（ＳＵＳ１〜ＳＵＳｎ）が配列され、列方向にｍ本のデータ電極１３２（Ｄ１〜Ｄｍ）が配列されている。そして、１対の走査電極１２２（ＳＣＮｉ）および維持電極１２３（ＳＵＳｉ）（ｉ＝１〜ｎ）と、１つのデータ電極１３２（Ｄｊ）（ｊ＝１〜ｍ）とが交差した部分に、放電セル１３６が形成され、放電セル１３６は放電空間内にｍ×ｎ個形成されている。
【００４４】
図３は、本発明の実施の形態におけるプラズマディスプレイ装置の、回路ブロック図である。このプラズマディスプレイ装置は、パネル１００、画像信号処理部１１７、データ電極駆動部１１２、走査電極駆動部１１３、維持電極駆動部１１４、タイミング発生部１１５、および各回路ブロックに必要な電源を供給する電源部（図示せず）、を備えている。
【００４５】
このプラズマディスプレイ装置は、その他の部分も多く備えているが、本発明の本質と直接関係しないものは図示と説明を省略している。
【００４６】
画像信号処理部１１７は、画像信号ｓｉｇを、各放電セルのサブフィールド毎の発光・非発光を示す画像データに変換する。
【００４７】
データ電極駆動部１１２は、サブフィールド毎の画像データを、各データ電極１３２（Ｄ１〜Ｄｍ）に対応する信号に変換し、各データ電極１３２を駆動する。
【００４８】
走査電極駆動部１１３は、各走査電極１２２（ＳＣＮ１〜ＳＣＮｎ）に所定の駆動電圧波形を供給する。維持電極駆動部１１４は、各維持電極１２３（ＳＵＳ１〜ＳＵＳｎ）に所定の駆動電圧波形を供給する。
【００４９】
タイミング発生部１１５は、水平同期信号Ｈと垂直同期信号Ｖをもとにして、各電極駆動部が駆動電圧波形を制御するための各種タイミング信号を発生し、各電極駆動部へ供給する。
【００５０】
これらの電極駆動部は、具体的にはパネルと並行に配置された制御基板上に実装される。この１つの制御基板４１２とパネル１００の概略構造を模式的に図４に示す。
【００５１】
制御基板４１２は走査電極駆動部１１３を実装している。走査電極駆動部１１３を実装している制御基板はより多く存在し、その他、維持電極駆動部１１４やデータ電極駆動部１１２を実装している制御基板も存在するが、これらに関しても同様であることと、却って煩雑になるのを避けるために、図示と説明は省略する。
【００５２】
図４は、本発明のプラズマディスプレイ装置におけるパネル１００と制御基板４１２とを、プラズマディスプレイ装置が設置されている状態において上方から下方に向かって見た状態を示している。このプラズマディスプレイ装置を観賞する人は、図４において、下方から上方に向かって観賞する。
【００５３】
上記のとおり、プラズマディスプレイ装置におけるパネル１００は、前面ガラス基板１２１と背面ガラス基板１３１とを並行に配置し、その間に放電ガスを封入した放電空間１０１を有している。放電ガスを封入するため、前面ガラス基板１２１と背面ガラス基板１３１との間は密閉されているが、却って煩雑になるのを避けるためと、本発明の本質とは直接関連しないので図示と説明は省略する。
【００５４】
前面ガラス基板１２１には、放電を起こすための走査電極１２２と維持電極１２３とが、互いに並行かつ交互に配置されている。この走査電極１２２と維持電極１２３とは、プラズマディスプレイ装置を観賞する方向に設置した状態で、それぞれ水平方向に並行に配線され、上下方向に交互に配置されるので、図４の状態では走査電極１２２と維持電極１２３とが重なって１本しか示すことができない。
【００５５】
背面ガラス基板１３１には、データ電極１３２が複数並行に配置されている。このデータ電極１３２は、プラズマディスプレイ装置を観賞する方向に設置した状態で、それぞれ垂直方向に並行に配線されるので、図４の状態ではデータ電極１３２の断面しか示すことができない。
【００５６】
また、これらの電極の上には、誘電体層１２４、保護層１２５、絶縁体層１３３、隔壁１３４、蛍光体層１３５等が配設されているが、却って煩雑になるのを避けるためと、本発明の本質とは直接関連しないので図示と説明は省略する。
【００５７】
上記のとおり、一例として走査電極を駆動してパネル１００を放電させるための走査電極駆動信号は、パネル１００と並行に配置された制御基板４１２上に実装された走査電極駆動部１１３で生成される。制御基板４１２には、この走査電極駆動信号を生成するための駆動部品４１４やその他の部品が多く搭載されている。図４では、駆動部品４１４として模式的に四角形で３つだけを示すが、実際にはより多くの種々の部品が搭載されている。これらについても、却って煩雑になるのを避けるためと、本発明の本質とは直接関連しないので図示と説明は省略する。この駆動部品４１４は、保守や組立ての容易性、パネル１００から出る熱を避けるため、その他の理由によって、制御基板４１２のパネル１００が存在する側と反対側の面に搭載されている。
【００５８】
パネル１００と制御基板４１２とは、制御基板４１２で生成した走査電極駆動信号をパネル１００の走査電極に送るために、フレキシブル配線基板４１８で接続されている。このフレキシブル配線基板４１８は、上記背景技術で説明したものと同様であり、またフレキシブル配線基板４１８を使用する理由も同様であるから、説明を繰り返すことは省略する。
【００５９】
図４では、簡略化のため、走査電極１２２と制御基板４１２とを接続するフレキシブル配線基板４１８を１つだけを模式的に示しているが、実際にはより多くのフレキシブル配線基板４１８が、走査電極１２２と制御基板４１２とを接続するために使用される。
【００６０】
また、維持電極１２３やデータ電極１３２に駆動パルスを送るためのフレキシブル配線基板も配設されるが、これらに関しても同様であることと、却って煩雑になるのを避けるために、図示と説明は省略する。
【００６１】
フレキシブル配線基板４１８は、異方性導電シート４０５を介して前面ガラス基板１２１上の走査電極１２２と圧接される。
【００６２】
また、このフレキシブル配線基板４１８の反対側の端は、制御基板４１２上のコネクター４１６を介して、制御基板４１２上のプリント配線と接続され、このプリント配線を経由して制御基板４１２上の走査電極駆動部１１３を実装している駆動部品４１４と接続される。
【００６３】
図５に、このフレキシブル配線基板４１８が、制御基板４１２上のコネクター４１６を介して、制御基板４１２上のプリント配線５４４と接続される状態を拡大して示す。
【００６４】
上記のとおり、フレキシブル配線基板４１８の片面には、銅等の導体で微細な配線パターン４１９が形成されている。この配線パターン４１９は、制御基板４１２上に配設されたコネクター４１６のコネクターピン５４１と、接続端子部５４３において接触し、このコネクターピン５４１を介して、制御基板４１２上のプリント配線５４４と接続される。
【００６５】
このコネクター４１６のコネクターピン５４１の接続端子部５４３は、フレキシブル配線基板４１８の片面、具体的には、制御基板４１２と反対側の面上に形成された配線パターン４１９と接触するように配置されている。そのために、コネクター４１６のコネクターピン５４１は、制御基板４１２のプリント配線５４４から、フレキシブル配線基板４１８の制御基板４１２と反対側の面に回りこむＵ字型の部分を有している。
【００６６】
制御基板４１２上のプリント配線５４４は、同じ制御基板４１２の同じ側の面上に配設された駆動部品４１４と接続される。
【００６７】
このように、コネクター４１６とそのコネクターピン５４１とを形成することによって、制御基板４１２上で走査パルスを生成する走査電極駆動部１１３を実装した駆動部品４１４と、この駆動部品４１４で生成された走査電極駆動信号をパネル１００の前面ガラス基板１２１上の走査電極１２２に導くためのフレキシブル配線基板４１８と接続するコネクター４１６とを、同じ制御基板４１２の同じ側の面上に配設することが可能となり、制御基板の構造と組立て工数を削減単純化することが可能になると共に、コネクター部品とフレキシブル配線基板との接続を組立て側の面で行うことができるため、コネクター部品とフレキシブル配線基板との接続は制御基板を固定した後に行うことができるばかりでなく、制御基板を固定した後でも、コネクター部品とフレキシブル配線基板の接続状態を極めて簡単に確認することが可能になる。また、制御基板のパネル側の面には部品が搭載されないので、制御基板とパネルとの間隔を狭くすることができ、プラズマディスプレイ装置全体の薄型化小型化を実現することができる。さらに、パネルと制御基板とを接続するフレキシブル配線基板の曲率半径を大きくできるので、フレキシブル配線基板にかかる応力が小さくなり、部品の信頼性安定性を向上させることが可能になる等の、多くの有利な点を得ることができる。
【産業上の利用可能性】
【００６８】
本発明によると、プラズマディスプレイ装置を構成するパネルを駆動するための駆動パルスを生成する制御基板の構造と組立て工数を削減単純化することが可能になると共に、制御基板から生成した駆動パルスをパネルに送るためのコネクター部品とフレキシブル配線基板との接続を組立て側の面で行うことができるため、コネクター部品とフレキシブル配線基板との接続は制御基板を固定した後に行うことができるばかりでなく、制御基板を固定した後でも、コネクター部品とフレキシブル配線基板の接続状態を極めて簡単に確認することが可能になる。また、制御基板のパネル側の面には部品が搭載されないので、制御基板とパネルとの間隔を狭くすることができ、プラズマディスプレイ装置全体の薄型化小型化を実現することができる。さらに、パネルと制御基板とを接続するフレキシブル配線基板の曲率半径を大きくできるので、フレキシブル配線基板にかかる応力が小さくなり、部品の信頼性安定性を向上させることが可能になる等の、多くの有利な点を得ることができるので、その産業上の利用可能性は極めて大きい。
【図面の簡単な説明】
【００６９】
【図１】本発明の実施の形態におけるプラズマディスプレイ装置に用いるパネルの構造を示す分解斜視図
【図２】本発明の実施の形態におけるプラズマディスプレイ装置に用いるパネル１００の電極配列図
【図３】本発明の実施の形態におけるプラズマディスプレイ装置の回路ブロック図
【図４】本発明の実施の形態におけるプラズマディスプレイ装置の制御基板とパネルの概略構造図
【図５】本発明の実施の形態におけるフレキシブル配線基板とコネクターと制御基板とが接続される状態の拡大図
【図６】従来のプラズマディスプレイ装置におけるパネルと制御基板との概略構造図
【図７】従来のフレキシブル配線基板コネクターと制御基板とが接続される状態の拡大図
【符号の説明】
【００７０】
１００，６００    パネル
１１２    データ電極駆動部
１１３    走査電極駆動部
１１４    維持電極駆動部
１１５    タイミング発生部
１１７    画像信号処理部
１２１，６２１    前面ガラス基板
１２２，６２２    走査電極
１２３，６２３    維持電極
１２４    誘電体層
１２５    保護層
１３１，６３１    背面ガラス基板
１３２，６３２    データ電極
１３３    絶縁体層
１３４    隔壁
１３５    蛍光体層
１３６    放電セル
４０１，６０１    放電空間
４０５，６０５    異方性導電シート
４１２，６１２    制御基板
４１４，６１４    駆動部品
４１６，６１６    コネクター
４１８，６１８    フレキシブル配線基板
４１９，６１９    配線パターン
５４１，７４１    コネクターピン
５４３，７４３    接続端子部
５４４，７４４    プリント配線
７４５    スルーホール
【図１】
2007218967.tif 000003
【図２】
2007218967.tif 000004
【図３】
2007218967.tif 000005
【図４】
2007218967.tif 000006
【図５】
2007218967.tif 000007
【図６】
2007218967.tif 000008
【図７】
2007218967.tif 000009